(57)【要約】【課題】外周部に突起部を有する鉄心材を積層して構成される固定子鉄心を製造する場合に、その製造に用いられる材料の歩留まりを向上する。【解決手段】本実施形態に係る固定子鉄心の製造方法は、外周部から径方向外側に突出する連結用の突起部を複数個有する鉄心材を帯状の電磁鋼板から打ち抜く打抜き工程において、前記電磁鋼板のうち前記鉄心材が打ち抜かれる部分は、当該電磁鋼板の幅方向に沿って３列に並んで配列されており、その３列のうち何れか２つの列に含まれる前記鉄心材の前記突起部が打ち抜かれる部分は、何れも前記電磁鋼板の幅方向に対して第１角度を有して傾いており、残りの１列に含まれる前記鉄心材の前記突起部が打ち抜かれる部分は、前記電磁鋼板の幅方向に対して前記第１角度とは異なる第２角度を有して傾いている。【選択図】図３
2015070666.tif 000002
【特許請求の範囲】
【請求項１】
外周部から径方向外側に突出する連結用の突起部を複数個有する鉄心材を帯状の電磁鋼板から打ち抜く打抜き工程において、
前記電磁鋼板のうち前記鉄心材が打ち抜かれる部分は、当該電磁鋼板の幅方向に沿って３列に並んで配列されており、
その３列のうち何れか２つの列に含まれる前記鉄心材の前記突起部が打ち抜かれる部分は、何れも前記電磁鋼板の幅方向に対して第１角度を有して傾いており、
残りの１列に含まれる前記鉄心材の前記突起部が打ち抜かれる部分は、前記電磁鋼板の幅方向に対して前記第１角度とは異なる第２角度を有して傾いている固定子鉄心の製造方法。
【請求項２】
前記電磁鋼板の幅方向の両端側で並ぶ２つの列に含まれる前記鉄心材の前記突起部が打ち抜かれる部分が、何れも前記電磁鋼板の幅方向に対して前記第１角度を有して傾いている請求項１に記載の固定子鉄心の製造方法。
【請求項３】
前記電磁鋼板の幅方向の一端側で並ぶ１つの列および前記電磁鋼板の幅方向の中心で並ぶ１つの列に含まれる前記鉄心材の前記突起部が打ち抜かれる部分が、何れも前記電磁鋼板の幅方向に対して前記第１角度を有して傾いている請求項１に記載の固定子鉄心の製造方法。
【請求項４】
前記打抜き工程により打ち抜かれた前記鉄心材を多数枚積層する積層工程において、
各列から打ち抜かれた前記鉄心材を組み合わせて積層する請求項１から３の何れか１項に記載の固定子鉄心の製造方法。
【請求項５】
前記第１角度および前記第２角度は、５°から８°の範囲のうち何れかの角度で設定されている請求項１から４の何れか１項に記載の固定子鉄心の製造方法。
【発明の詳細な説明】
【技術分野】
【０００１】
本発明の実施形態は、固定子鉄心の製造方法に関する。
【背景技術】
【０００２】
回転電機の固定子を構成する固定子鉄心は、例えば、円環状の鉄心材を多数枚積層して構成されている。例えばハイブリッド車両に搭載されるモータに使用される固定子鉄心の鉄心材は、その外周部に、当該外周部から径方向外側に突出する突起部を複数個有している。突起部には、それぞれ孔部が形成されている。この孔部には、鉄心材同士を積層方向に連結する連結部材が挿入される。例えば特許文献１に示すように、鉄心材は、帯状の電磁鋼板からプレスによって打ち抜かれて形成されている。
【先行技術文献】
【特許文献】
【０００３】
【特許文献１】特開２０１２−１７８９２０号公報
【発明の概要】
【発明が解決しようとする課題】
【０００４】
外周部に突起部を有する鉄心材を製造する場合、外周部に突起部を有しない円形の鉄心材を製造する場合に比べ、電磁鋼板のうち鉄心材の突起部が打ち抜かれる周囲の部分に材料が多く残りやすく、従って、材料の歩留まりが低くなってしまう。また、打ち抜き後に残る電磁鋼板の残材の形状が不規則となってしまい、安定した生産が困難となる。
【０００５】
本実施形態は、外周部に突起部を有する鉄心材を積層して構成される固定子鉄心を製造する場合に、その製造に用いられる材料の歩留まりを向上することができる固定子鉄心の製造方法を提供する。
【課題を解決するための手段】
【０００６】
本実施形態に係る固定子鉄心の製造方法は、外周部から径方向外側に突出する連結用の突起部を複数個有する鉄心材を帯状の電磁鋼板から打ち抜く打抜き工程において、前記電磁鋼板のうち前記鉄心材が打ち抜かれる部分は、当該電磁鋼板の幅方向に沿って３列に並んで配列されており、その３列のうち何れか２つの列に含まれる前記鉄心材の前記突起部が打ち抜かれる部分は、何れも前記電磁鋼板の幅方向に対して第１角度を有して傾いており、残りの１列に含まれる前記鉄心材の前記突起部が打ち抜かれる部分は、前記電磁鋼板の幅方向に対して前記第１角度とは異なる第２角度を有して傾いている。
【図面の簡単な説明】
【０００７】
【図１】第１実施形態に係る固定子鉄心の外観の一例を示す斜視図
【図２】（ａ）は電磁鋼板の平面図、（ｂ）は図２（ａ）のＡ−Ａ線に沿う電磁鋼板の断面図
【図３】固定子鉄心用の鉄心材を打ち抜くための金型のレイアウトの一例を示す図（その１）
【図４】固定子鉄心用の鉄心材を打ち抜くための金型のレイアウトの一例を示す図（その２）
【図５】固定子鉄心用の鉄心材を打ち抜くための金型のレイアウトの従来例を示す図（その１）
【図６】固定子鉄心用の鉄心材を打ち抜くための金型のレイアウトの従来例を示す図（その２）
【図７】積層工程の一例を説明するための図
【図８】第２実施形態に係る固定子鉄心用の鉄心材を打ち抜くための金型のレイアウトの一例を示す図（その１）
【図９】固定子鉄心用の鉄心材を打ち抜くための金型のレイアウトの一例を示す図（その２）
【発明を実施するための形態】
【０００８】
以下、回転電機の固定子に用いられる固定子鉄心の製造方法に係る複数の実施形態について図面を参照しながら説明する。この場合、固定子は、インナーロータ型の固定子である。なお、固定子鉄心の軸方向と、鉄心材の積層方向と、鉄心材の板厚方向とは、同一の方向である。
【０００９】
（第１実施形態）
例えば図１に示す固定子鉄心１は、電磁鋼板製であり、ほぼ円筒状をなす。固定子鉄心１の内周には、図示しない回転子が配置される空間が形成されている。固定子鉄心１の内周部には、巻線を収容するための複数個のスロット２が周方向に沿って等間隔に形成されている。図示しないが、固定子鉄心１は、回転電機を収容するフレーム内に固定されて用いられる。固定子鉄心１は、多数枚の鉄心材３を積層して構成されている。
【００１０】
鉄心材３は、ほぼ円環状の板状をなす。この鉄心材３の内周部には、内方に突出する複数個のスロット２が周方向に沿って等間隔に形成されている。なお、便宜上、固定子鉄心１のスロット２および鉄心材３のスロット２は、何れも「スロット２」と称する。鉄心材３は、複数枚の鉄心材３が積層された場合に、それら鉄心材３を積層方向に一体に連結するための連結用の突起部４をｍ個有している。ここで、「ｍ」は、「２以上の整数」、好ましくは「３以上の奇数」、より好ましくは「３」で設定される。本実施形態では、「ｍ＝３」で設定されている。即ち、１枚の鉄心材３は、３個の突起部４を有する。
【００１１】
突起部４は、円環状の鉄心材３の外周部から径方向外側に突出している。具体的には、突起部４は、何れも同一の形状をなしており、この場合、鉄心材３の外周部から径方向外側に延び、その先端が半円弧状に形成されている。突起部４は、後述する孔部５が形成可能な大きさで形成されている。また、突起部４は、円環状の鉄心材３の外周部において、周方向に沿って等間隔に配置されている。この場合、「ｍ＝３」であるので、各突起部４の間の間隔は、「３６０／３」°、即ち、「１２０°」である。
【００１２】
突起部４の中央には、鉄心材３の板厚方向に貫通する円形状の孔部５が形成されている。固定子鉄心１は、多数枚の鉄心材３を、各鉄心材３の突起部４が重なるようにして板厚方向に積層することにより構成される。このとき、鉄心材３の板厚方向、即ち、積層方向に隣り合う複数の鉄心材３の各孔部５は、積層方向に沿って相互に連なって筒状となる。そして、鉄心材３の積層方向に連なる孔部５には、図示しない連結部材が挿入される。この連結部材は、例えば金属製で管状の結着管で構成される。従って、孔部５の開口は、連結部材、この場合、結着管が挿入可能な大きさに設定されている。孔部５に挿入された結着管は、孔部５の積層方向の全長にわたって拡開される。これにより、多数枚の鉄心材３が一体に連結して、固定子鉄心１が構成される。
【００１３】
次に、本実施形態の固定子鉄心１の製造方法の一例について説明する。固定子鉄心１を構成する鉄心材３は、例えば図２に示す帯状の電磁鋼板である母材１１を所定の大きさに切断し、この母材１１を図示しないプレス機によって打ち抜くことで形成される。母材１１は、圧延によって帯状に形成されている。そのため、母材１１は、圧延時においてローラから受ける荷重の大きさの違いなどによって、例えば幅方向の各部位において板厚が異なっている。即ち、母材１１は板厚偏差を有する。この場合、母材１１は、幅方向において中央が膨らみ、両端部が最も薄くなっている。説明の便宜上、母材１１の幅方向の両端部、つまり、最も薄い部分の板厚を「Ｔ１」で示す。また、母材１１の幅方向の中央部、つまり、最も厚い部分の板厚を「Ｔ６」で示す。なお、母材１１の幅方向は、圧延時に用いられるローラの軸方向と同じ方向である。
【００１４】
本実施形態では、まず、母材１１を適当な大きさに切断する切断工程が行われる。この切断工程では、母材１１を、その幅方向の寸法が所定の寸法になるように切断する。本実施形態では、母材１１を、その幅方向の中心を基準として２つに切断する。これにより、帯状の加工母材１２が２枚得られる。即ち、加工母材１２は、母材１１の幅方向の寸法を半分にした帯状の電磁鋼板である。従って、加工母材１２は、幅方向の一端部の板厚が「Ｔ１」となり、幅方向の他端部の板厚が「Ｔ６」となる。このように母材１１を切断することに得られる加工母材１２は、コイル状に巻かれて取り扱われる。
【００１５】
次に、この加工母材１２から鉄心材３などを打ち抜く打抜き工程が行われる。図示はしないが、この打抜き工程を実行する設備は、コイル状に巻かれた加工母材１２がセットされて当該加工母材１２を繰り出すアンコイラ、このアンコイラから繰り出される加工母材１２の巻き癖を矯正しながら当該加工母材１２をプレス機に供給するフィーダ、フィーダによって供給される加工母材１２から鉄心材３などをプレスによって打ち抜くためのプレス機などを含む。
【００１６】
プレス機は、図示しない打ち抜き用の金型を複数個有している。この金型は、鉄心材３などの打抜き形状に対応した切刃を有する。プレス機は、図示しない回転子鉄心を構成する鉄心材を打ち抜くための回転子鉄心用の複数の金型と固定子鉄心を構成する鉄心材３を打ち抜くための固定子鉄心用の複数の金型を一組の金型群とし、その金型群を、加工母材１２の幅方向に沿って３列に配列した構成である。なお、各金型群において、回転子鉄心用の複数の金型と固定子鉄心用の複数の金型は、加工母材１２が流れる方向、つまり、加工母材１２の長手方向に沿って１列に並べられている。そして、加工母材１２の長手方向に沿って並ぶ複数の金型に当該加工母材１２が順次送られてプレスされることにより、加工母材１２から回転子鉄心用の鉄心材および固定子鉄心用の鉄心材３が順次打ち抜かれる。プレス機は、同形状の３個の金型を加工母材１２の幅方向に沿って並べて配置している。そのため、プレス機によるプレス動作により、加工母材１２から回転子鉄心用の鉄心材が同時に３個ずつ得られ、また、固定子鉄心用の鉄心材３が同時に３個ずつ得られるようになっている。
【００１７】
図３および図４は、加工母材１２から固定子鉄心用の鉄心材３を打ち抜くための金型のレイアウトの一例を示している。なお、これら図３および図４において、左側が、打抜き工程において加工母材１２が流れる方向の上流側であり、右側が下流側である。即ち、加工母材１２は、矢印Ａ方向に流れる。これら図３および図４に例示するように、加工母材１２のうち固定子鉄心用の鉄心材３が打ち抜かれる部分は、当該加工母材１２の幅方向に沿って３列に並んで配列されている。また、プレス機は、加工母材１２を順次送りながら、その加工母材１２の所定部位を順次打ち抜くことにより、回転子鉄心用の鉄心材および固定子鉄心用の鉄心材３を製造する構成である。そのため、加工母材１２から打ち抜かれる回転子鉄心用の鉄心材および固定子鉄心用の鉄心材３は、同じ列において同一形状で打ち抜かれる。なお、加工母材１２の幅方向の両端部には、当該加工母材１２の送りピッチを整合さえるためのパイロット孔１２ａが設けられる。また、説明の便宜上、図面中、最も上の列をＡ列、中央の列をＢ列、最も下の列をＣ列と称する。
【００１８】
ここで、本実施形態では、材料である加工母材１２の歩留まりの向上を図るべく、固定子鉄心用の鉄心材３を打ち抜くための金型のレイアウトに工夫を施している。以下、その内容につき詳細に説明する。
即ち、例えば図５に示す従来のレイアウトでは、加工母材１２の幅方向に沿って並ぶ各列において、固定子鉄心用の鉄心材３が有する複数の突起部４のうち、他の列において加工母材１２の長手方向に沿って隣り合う鉄心材３，３の間に延びる突起部４（当該突起部４が打ち抜かれる部分）は、何れの列においても、図中破線で示す加工母材１２の幅方向に沿った方向に延びており、加工母材１２の幅方向に対して傾いていない。このレイアウトにおいて、加工母材１２の歩留まりの向上を図るべく、各列に含まれる固定子鉄心用の鉄心材３（当該鉄心材３が打ち抜かれる部分）の間隔を詰めると、例えば位置Ｐ１，Ｐ２，Ｐ３などにおいて、異なる列に属する鉄心材３の突起部４（当該突起部４が打ち抜かれる部分）が相互に干渉してしまう。
【００１９】
そこで、例えば図６に示すように、各列に含まれる固定子鉄心用の鉄心材３が有する複数の突起部４のうち、他の列において加工母材１２の長手方向に沿って隣り合う鉄心材３，３の間に延びる突起部４（当該突起部４が打ち抜かれる部分）を、何れの列においても加工母材１２の幅方向に対して所定角度αを有して傾けたレイアウトを検討する。この場合、突起部４（当該突起部４が打ち抜かれる部分）は、加工母材１２が流れる矢印Ａ方向とは逆方向に向かって傾いている。この場合においても、例えば位置Ｐ４，Ｐ５などにおいて、異なる列に属する鉄心材３の突起部４（当該突起部４が打ち抜かれる部分）が相互に干渉してしまう。
【００２０】
そこで、例えば図３あるいは図４に示すレイアウトを検討する。これら図３あるいは図４に例示するレイアウトは、３列のうち何れか２つの列に含まれる固定子鉄心用の鉄心材３が有する複数の突起部４のうち、他の列において加工母材１２の長手方向に沿って隣り合う鉄心材３，３の間に延びる突起部４（当該突起部４が打ち抜かれる部分）を、何れも加工母材１２の幅方向に対して所定角度αを有して傾け、且つ、残りの１列に含まれる固定子鉄心用の鉄心材３が有する複数の突起部４のうち、他の列において加工母材１２の長手方向に沿って隣り合う鉄心材３，３の間に延びる突起部４（当該突起部４が打ち抜かれる部分）を、加工母材１２の幅方向に対して所定角度αとは異なる所定角度βを有して傾けたレイアウトである。なお、所定角度αは第１角度の一例であり、所定角度βは第２角度の一例である。
【００２１】
例えば図３に示すレイアウトでは、加工母材１２の幅方向の両端側で並ぶ２つの列、即ち、Ａ列およびＣ列に含まれる固定子鉄心用の鉄心材３が有する複数の突起部４のうち、他の列、この場合、隣の列であるＢ列において加工母材１２の長手方向に沿って隣り合う鉄心材３，３の間に延びる突起部４（当該突起部４が打ち抜かれる部分）が、何れも加工母材１２の幅方向に対して所定角度αを有して傾いている。この場合、所定角度αとして「５°」が設定されている。且つ、加工母材１２の幅方向の中心で並ぶ１つの列、即ち、Ｂ列に含まれる固定子鉄心用の鉄心材３が有する複数の突起部４のうち、他の列、この場合、Ｃ列において加工母材１２の長手方向に沿って隣り合う鉄心材３，３の間に延びる突起部４（当該突起部４が打ち抜かれる部分）が、加工母材１２の幅方向に対して所定角度βを有して傾いている。この場合、所定角度βとして「６°」が設定されている。このレイアウトによれば、異なる列に属する鉄心材３（当該鉄心材３が打ち抜かれる部分）が相互に干渉してしまう部位あるいは極度に近接してしまう位置が存在せず、従って、材料である加工母材１２の歩留まりを格段に向上することができる。
【００２２】
また、例えば図４に示すレイアウトでは、加工母材１２の幅方向の両端側で並ぶ２つの列、即ち、Ａ列およびＣ列に含まれる固定子鉄心用の鉄心材３が有する複数の突起部４のうち、他の列、この場合、隣の列であるＢ列において加工母材１２の長手方向に沿って隣り合う鉄心材３，３の間に延びる突起部４（当該突起部４が打ち抜かれる部分）が、何れも加工母材１２の幅方向に対して所定角度αを有して傾いている。この場合、所定角度αとして「５°」が設定されている。且つ、加工母材１２の幅方向の中心で並ぶ１つの列、即ち、Ｂ列に含まれる固定子鉄心用の鉄心材３が有する複数の突起部４のうち、他の列、この場合、Ｃ列において加工母材１２の長手方向に沿って隣り合う鉄心材３，３の間に延びる突起部４（当該突起部４が打ち抜かれる部分）が、加工母材１２の幅方向に対して所定角度βを有して傾いている。この場合、所定角度βとして「７°」が設定されている。このレイアウトによれば、例えば位置Ｐ６，Ｐ７において、Ａ列に属する鉄心材３（当該鉄心材３が打ち抜かれる部分）とＡ列とは異なるＢ列に属する鉄心材３の突起部４（当該突起部４が打ち抜かれる部分）とが近接するものの、異なる列に属する鉄心材３（当該鉄心材３が打ち抜かれる部分）が相互に干渉してしまう部位が存在せず、従って、材料である加工母材１２の歩留まりを格段に向上することができる。
【００２３】
次に、打ち抜き工程において上記の図３あるいは図４に例示したレイアウトによって打ち抜かれた鉄心材３を多数枚積層する積層工程について説明する。例えば図７（ａ）に示すように、加工母材１２は板厚偏差を有する。従って、例えば図７（ｂ）に示すように、Ａ列，Ｂ列，Ｃ列からそれぞれ打ち抜かれる鉄心材３の板厚は、その鉄心材３が打ち抜かれた列によって異なってくる。そのため、例えば図７（ｃ）に示すように、各列で打ち抜かれた鉄心材３を積層すると、Ａ列から打ち抜かれた鉄心材３Ａのみを積層した場合の鉄心材ブロックの厚さと、Ｂ列から打ち抜かれた鉄心材３Ｂのみを積層した場合の鉄心材ブロックの厚さと、Ｃ列から打ち抜かれた鉄心材３Ｃのみを積層した場合の鉄心材ブロックの厚さとが異なってしまう。
【００２４】
そこで、本実施形態では、積層工程においては、例えば図７（ｄ）に示すように、Ａ列，Ｂ列，Ｃ列の各列から打ち抜かれた鉄心材３Ａ，３Ｂ，３Ｃを組み合わせて積層し、これにより、鉄心材ブロックを形成する。この場合、好ましくは、Ａ列から打ち抜かれた鉄心材３Ａの枚数と、Ｂ列から打ち抜かれた鉄心材３Ｂの枚数と、Ｂ列から打ち抜かれた鉄心材３Ｂの枚数とを同数とするとよい。このような積層工程によれば、鉄心材３の積層枚数を同一としつつ、製造される鉄心材ブロックの厚さを均一にすることができ、ひいては、この鉄心材ブロックが多数個積層されることにより製造される固定子鉄心の厚さも均一にすることができる。
【００２５】
本実施形態に係る固定子鉄心の製造方法によれば、外周部から径方向外側に突出する連結用の突起部４を複数個有する鉄心材３を帯状の加工母材１２から打ち抜く打抜き工程において、加工母材１２のうち鉄心材３が打ち抜かれる部分は、当該加工母材１２の幅方向に沿って３列に並んで配列されており、その３列のうち何れか２つの列に含まれる鉄心材３の突起部４が打ち抜かれる部分は、何れも加工母材１２の幅方向に対して所定角度αを有して傾いており、残りの１列に含まれる鉄心材３の突起部４が打ち抜かれる部分は、加工母材１２の幅方向に対して所定角度αとは異なる所定角度βを有して傾いている。
【００２６】
そして、本実施形態では、加工母材１２の幅方向の両端側で並ぶ２つの列に含まれる鉄心材３の突起部４が打ち抜かれる部分が、何れも加工母材１２の幅方向に対して所定角度αを有して傾いている。この製造方法によれば、加工母材１２において各列の鉄心材３が打ち抜かれる部分を相互に適度な間隔を確保しつつ極力近付けることができる。よって、加工母材１２の面積に占める鉄心材３の打ち抜き部分の面積を大きくでき、鉄心材３の打ち抜き後に残る残材の量を少なくすることができる。従って、材料である加工母材１２の歩留まりを格段に向上することができる。
【００２７】
（第２実施形態）
本実施形態も、材料である加工母材１２の歩留まりの向上を図るべく、固定子鉄心用の鉄心材３を打ち抜くための金型のレイアウトに工夫を施している。以下、その内容につき詳細に説明する。例えば図８あるいは図９に示すレイアウトも、３列のうち何れか２つの列に含まれる固定子鉄心用の鉄心材３が有する複数の突起部４のうち、他の列において加工母材１２の長手方向に沿って隣り合う鉄心材３，３の間に延びる突起部４（当該突起部４が打ち抜かれる部分）を、何れも加工母材１２の幅方向に対して所定角度αを有して傾け、且つ、残りの１列に含まれる固定子鉄心用の鉄心材３が有する複数の突起部４のうち、他の列において加工母材１２の長手方向に沿って隣り合う鉄心材３，３の間に延びる突起部４（当該突起部４が打ち抜かれる部分）を、加工母材１２の幅方向に対して所定角度αとは異なる所定角度βを有して傾けたレイアウトである。
【００２８】
例えば図８に示すレイアウトでは、加工母材１２の幅方向の一端側で並ぶ１つの列、この場合、Ｃ列に含まれる固定子鉄心用の鉄心材３が有する複数の突起部４のうち、他の列、この場合、隣の列であるＢ列において加工母材１２の長手方向に沿って隣り合う鉄心材３，３の間に延びる突起部４（当該突起部４が打ち抜かれる部分）が、何れも加工母材１２の幅方向に対して所定角度αを有して傾いている。また、加工母材１２の幅方向の中心で並ぶ１つの列、この場合、Ｂ列に含まれる固定子鉄心用の鉄心材３が有する複数の突起部４のうち、他の列、この場合、Ｃ列において加工母材１２の長手方向に沿って隣り合う鉄心材３，３の間に延びる突起部４（当該突起部４が打ち抜かれる部分）が、何れも加工母材１２の幅方向に対して所定角度αを有して傾いている。この場合、Ｃ列およびＢ列の何れも、所定角度αとして「５°」が設定されている。
【００２９】
且つ、加工母材１２の幅方向の他端側で並ぶ１つの列、この場合、Ａ列に含まれる固定子鉄心用の鉄心材３が有する複数の突起部４のうち、他の列、この場合、隣の列であるＢ列において加工母材１２の長手方向に沿って隣り合う鉄心材３，３の間に延びる突起部４（当該突起部４が打ち抜かれる部分）が、加工母材１２の幅方向に対して所定角度βを有して傾いている。この場合、所定角度βとして「６°」が設定されている。このレイアウトによれば、例えば位置Ｐ２１，Ｐ２２において、Ａ列に属する鉄心材３の突起部４（当該突起部４が打ち抜かれる部分）とＡ列とは異なるＢ列に属する鉄心材３の突起部４（当該突起部４が打ち抜かれる部分）とが近接するものの、異なる列に属する鉄心材３（当該鉄心材３が打ち抜かれる部分）が相互に干渉してしまう部位あるいは極度に近接してしまう位置が存在せず、従って、材料である加工母材１２の歩留まりを格段に向上することができる。
【００３０】
また、例えば図９に示すレイアウトでは、加工母材１２の幅方向の一端側で並ぶ１つの列、この場合、Ｃ列に含まれる固定子鉄心用の鉄心材３が有する複数の突起部４のうち、他の列、この場合、隣の列であるＢ列において加工母材１２の長手方向に沿って隣り合う鉄心材３，３の間に延びる突起部４（当該突起部４が打ち抜かれる部分）が、何れも加工母材１２の幅方向に対して所定角度αを有して傾いている。また、加工母材１２の幅方向の中心で並ぶ１つの列、この場合、Ｂ列に含まれる固定子鉄心用の鉄心材３が有する複数の突起部４のうち、他の列、この場合、Ｃ列において加工母材１２の長手方向に沿って隣り合う鉄心材３，３の間に延びる突起部４（当該突起部４が打ち抜かれる部分）が、何れも加工母材１２の幅方向に対して所定角度αを有して傾いている。この場合、Ｃ列およびＢ列の何れも、所定角度αとして「５°」が設定されている。
【００３１】
且つ、加工母材１２の幅方向の他端側で並ぶ１つの列、この場合、Ａ列に含まれる固定子鉄心用の鉄心材３が有する複数の突起部４のうち、他の列、この場合、隣の列であるＢ列において加工母材１２の長手方向に沿って隣り合う鉄心材３，３の間に延びる突起部４（当該突起部４が打ち抜かれる部分）が、加工母材１２の幅方向に対して所定角度βを有して傾いている。この場合、所定角度βとして「８°」が設定されている。このレイアウトによれば、例えば位置Ｐ２３，Ｐ２４において、Ａ列に属する鉄心材３の突起部４（当該突起部４が打ち抜かれる部分）とＡ列とは異なるＢ列に属する鉄心材３の突起部４（当該突起部４が打ち抜かれる部分）とが近接するものの、異なる列に属する鉄心材３（当該鉄心材３が打ち抜かれる部分）が相互に干渉してしまう部位あるいは極度に近接してしまう位置が存在せず、従って、材料である加工母材１２の歩留まりを格段に向上することができる。
【００３２】
本実施形態に係る固定子鉄心の製造方法によれば、外周部から径方向外側に突出する連結用の突起部４を複数個有する鉄心材３を帯状の加工母材１２から打ち抜く打抜き工程において、加工母材１２のうち鉄心材３が打ち抜かれる部分は、当該加工母材１２の幅方向に沿って３列に並んで配列されており、その３列のうち何れか２つの列に含まれる鉄心材３の突起部４が打ち抜かれる部分は、何れも加工母材１２の幅方向に対して所定角度αを有して傾いており、残りの１列に含まれる鉄心材３の突起部４が打ち抜かれる部分は、加工母材１２の幅方向に対して所定角度αとは異なる所定角度βを有して傾いている。
【００３３】
そして、本実施形態では、加工母材１２の幅方向の一端側で並ぶ１つの列および加工母材１２の幅方向の中心で並ぶ１つの列に含まれる鉄心材３の突起部４が打ち抜かれる部分が、何れも加工母材１２の幅方向に対して所定角度αを有して傾いている。この製造方法によれば、加工母材１２において各列の鉄心材３が打ち抜かれる部分を相互に適度な間隔を確保しつつ極力近付けることができる。よって、加工母材１２の面積に占める鉄心材３の打ち抜き部分の面積を大きくでき、鉄心材３の打ち抜き後に残る残材の量を少なくすることができる。従って、材料である加工母材１２の歩留まりを格段に向上することができる。
また、第２実施形態により得られた鉄心材３を積層する場合も、第１実施形態で示した積層方法を採用するとよい。
【００３４】
なお、本実施形態は、上述した各実施形態に限定されるものではなく、例えば次のように変形または拡張することができる。
即ち、上述の各実施形態において、第１角度の一例である所定角度αは、例えば「５°」から「８°」の範囲のうち何れかの角度で適宜調整して設定するとよい。また、第２角度の一例である所定角度βも、例えば「５°」から「８°」の範囲のうち所定角度αとは異なる何れかの角度で適宜調整して設定するとよい。また、加工母材１２において突起部４（当該突起部４が打ち抜かれる部分）は、加工母材１２が流れる矢印Ａ方向に向かって傾けてもよい。また、鉄心材３が有する突起部４の数は、３つに限られるものではなく、例えば２つ、４つ、あるいは、４つ以上であってもよい。
【００３５】
また、異なる列に属する鉄心材３（当該鉄心材３が打ち抜かれる部分）の間隔、つまり、打ち抜き後に残る材料（残材）の幅は、最も狭い箇所において、加工母材１２の板厚の概ね５〜１０倍程度の寸法が確保できるように設定するとよい。これにより、加工母材１２から鉄心材３が打ち抜かれた後に残る残材において、鉄心材３が打ち抜かれた部分以外の部分が繋がって残るようになる。即ち、残材が相互に繋がって一体となっているため、例えば加工母材１２および残材を下流側から矢印Ａ方向に引っ張ることにより、加工母材１２および残材のたるみを極力なくすことができ、加工母材１２および残材の矢印Ａ方向への送りを容易に行うことができる。
【００３６】
以上に説明した本実施形態に係る固定子鉄心の製造方法は、外周部から径方向外側に突出する連結用の突起部を複数個有する鉄心材を帯状の電磁鋼板から打ち抜く打抜き工程において、前記電磁鋼板のうち前記鉄心材が打ち抜かれる部分は、当該電磁鋼板の幅方向に沿って３列に並んで配列されており、その３列のうち何れか２つの列に含まれる前記鉄心材の前記突起部が打ち抜かれる部分は、何れも前記電磁鋼板の幅方向に対して第１角度を有して傾いており、残りの１列に含まれる前記鉄心材の前記突起部が打ち抜かれる部分は、前記電磁鋼板の幅方向に対して前記第１角度とは異なる第２角度を有して傾いている。この製造方法によれば、電磁鋼板において各列の鉄心材が打ち抜かれる部分を相互に適度な間隔を確保しつつ極力近付けることができ、材料である電磁鋼板の歩留まりを格段に向上することができる。
【００３７】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００３８】
図面中、１は固定子鉄心、３は鉄心材、４は突起部、１２は加工母材（電磁鋼板）を示す。
【図１】
2015070666.tif 000003
【図２】
2015070666.tif 000004
【図３】
2015070666.tif 000005
【図４】
2015070666.tif 000006
【図５】
2015070666.tif 000007
【図６】
2015070666.tif 000008
【図７】
2015070666.tif 000009
【図８】
2015070666.tif 000010
【図９】
2015070666.tif 000011